(57)【要約】【課題】燃料をシリンダ内に直接噴射する燃料噴射弁と、混合気に複数回の点火を行う点火装置を有する内燃機関において、複数回点火する際の時間またはクランク角の間隔をバッテリの状態に応じて適正に変える。【解決手段】内燃機関は、燃料をシリンダ内に直接噴射する燃料噴射弁と、混合気に複数回の点火を行う点火装置を有する。エンジン制御装置は、バッテリ電圧を監視する手段と、バッテリ電圧に応じて、複数回点火する際の時間またはクランク角の間隔を変える点火制御装置と、を備える。【選択図】図１
2008202605.tif 000002
【特許請求の範囲】
【請求項１】
燃料をシリンダ内に直接噴射する燃料噴射弁と、混合気に複数回の点火を行う点火装置を有する内燃機関において、
バッテリ電圧を監視する手段と、バッテリ電圧に応じて、複数回点火する際の時間またはクランク角の間隔を変える点火制御装置と、を備えたことを特徴とするシリンダ内直接噴射式内燃機関。
【請求項２】
１回目の点火は燃料噴射から１ｍｓ以上の時間間隔を置き、かつ、２回目以降は、１回目の点火からそれぞれ０．５ｍｓ以上の時間間隔を置くようにした請求項１記載のシリンダ内直接噴射式内燃機関。
【発明の詳細な説明】
【技術分野】
【０００１】
本発明はシリンダ内に燃料を直接噴射し、点火によりシリンダ内の混合気を燃焼させる内燃機関に関する。
【背景技術】
【０００２】
従来、シリンダ内に燃料を直接噴射する内燃機関においては、例えば低負荷運転時に点火プラグの周辺に局部的に燃焼に適した混合気を形成して燃焼を行なう（いわゆる成層燃焼と称せられる）方式が知られている。この燃焼は、燃費低減や排出ガスの浄化を図り得る。
【０００３】
このようなシリンダ内直接噴射式内燃機関では、失火をなくして燃焼安定性の向上を図るために、１行程内で複数の点火を行なう多重点火、または１シリンダ当たり複数の点火プラグを用いた多点点火システムが提案されている。例えば、特許文献１（特開２０００−１７９３７７）に記載されているような多重点火システムがある。
【０００４】
この多重点火システムは、点火プラグ近傍に光電変換素子からなる空燃比計測システムを備え、設定空燃比を調節しながら、理想となる設定点火時期から最遅角点火時期までの間に複数回の点火を行ない、燃焼安定性を確保する構成となっている。多点点火システムとしては、特許文献２（特開２０００−１７９４４１）に記載されているシステムがある。
【０００５】
【特許文献１】特開２０００−１７９３７７
【特許文献２】特開２０００−１７９４４１
【発明の開示】
【発明が解決しようとする課題】
【０００６】
点火プラグ近傍の空燃比を計測し、フィードバック制御により空燃比を調節する場合には、燃焼安定性は確保できる。それはあくまで点火プラグ近傍においてのみであって、使用される燃料噴射弁の噴霧特性によっては、必ずしもシリンダ全体で良好な燃焼を保証するものではない。
【０００７】
なぜならば、一般的な円錐形（中実または中空）の噴霧特性では、必ずしも点火プラグに多くの燃料が指向しているとは言えず、また、設定点火時期から最遅角点火時期の間に点火を行なったとしても、その間の空燃比分布に変動が大きいために、１回の点火では確実に燃焼させることができないこともある。
【０００８】
そのために、４〜５回の多重点火を行なって安定性を確保しているが、点火プラグの電極の消耗が大きかったり、電力消費が大きくなる。また、混合気の成層化が十分ではなく、よって燃費や排気の低減が充分でない場合もある。さらに、空燃比計を用い、その経時劣化や汚損などの影響を補正するために、点火時期を意図的に変えてデータ取得を行なったりするので、システムが複雑になり、高価になる。
【０００９】
また、このような火花点火エンジンにおいては、排気管に触媒を装備して排気成分の浄化を行なうことが多いが、触媒は温度が高くならないと浄化作用を得ることができない。
【００１０】
そこで、エンジン始動時および始動直後は成層燃焼により、少ない燃料量で安定した燃焼を成立させ、有害排出ガスの量を抑えると共に、触媒を早期に活性化させるために点火時期を遅らせて、発生する高温の排気ガスを排気管に排出させたい。このためには燃料噴射時期を遅くする方法があるが、噴射時期が遅くなると、燃焼室内が高圧下し、従来用いられている燃料噴霧では、噴霧貫通力（ペネトレーション）が不足し、燃料が点火プラグに届かなくなり、燃焼が不安定になってしまうという課題があった。
【００１１】
本発明の目的は、良好な燃焼安定性を確保しながら、電極消耗や電力消費が少なく、簡潔かつ安価なシリンダ内直接燃料噴射システムを新たに提供しようとするものである。
【００１２】
また、始動時に触媒の早期活性化を行なうために、点火時期を遅らせながら、かつ、安定した燃焼が実現できるシリンダ内直接燃料噴射システムを新たに提供しようとするものである。
【課題を解決するための手段】
【００１３】
上記課題を解決するために，本発明は基本的には、燃料をシリンダ内に直接噴射する燃料噴射弁と、混合気に複数回の点火を行う点火装置を有する内燃機関において、
バッテリ電圧を監視する手段と、バッテリ電圧に応じて、複数回点火する際の時間またはクランク角の間隔を変える点火制御装置と、を備えたことを特徴とする。
【発明の効果】
【００１４】
従来の多重点火システムと比較して、簡潔な構成で安価であり、かつ、電極消耗や電力消費が少ないシリンダ内直接燃料噴射システムとすることができる。
【発明を実施するための最良の形態】
【００１５】
本発明の実施例を図面に基づき説明する。
【００１６】
第１図に本発明の第１の実施例に係る内燃機関の構成図を示す。エンジンについては、複数シリンダのうち一つを断面して表している。
【００１７】
燃料噴射弁１０１は、エンジン１０２の燃焼室（シリンダ）１０４内に燃料を直接噴射するように取付けられている。
【００１８】
コンピュータ（燃料噴射制御装置，点火制御装置）１１３は、エンジンの冷却水温、回転数、吸入空気量などの情報をもとに、燃料噴射弁１０１の作動信号を演算し出力する。また、点火時期を演算して点火コイル１１５に点火信号を送り、点火プラグ１１４に点火火花を発生させるように制御する。
【００１９】
燃料噴射弁１０１には、燃料タンク１１２からの燃料が燃料ポンプ１１１により加圧されて供給されている。
【００２０】
エンジンの吸気行程では、排気弁１１０が閉じ、吸気弁１０９が開き、吸気管１０７から吸入空気が流入する。
【００２１】
続いて圧縮行程では、吸気弁１０９が閉じ、ピストン１０３が上昇することにより吸入空気が圧縮される。そして上死点前で燃料噴射弁１０１から燃料が噴射される。
【００２２】
この燃料は、流速が速くかつ点火プラグ１１４を指向する先行噴霧（リード噴霧，初期噴霧等と称されることもある）１０５と、その後に続く流速の遅い主噴霧１０６の二つの分布を持っている（このような燃料噴霧パターンを形成する燃料噴射弁については、第３図を用いて後述する）。先行噴霧と主噴霧との割合は、例えば先行噴霧が全体の１０〜３０％、主噴霧が全体の９０〜７０％である。
【００２３】
そして、先行噴霧１０５が点火プラグ１１４に到達する時期を予め調べておき、到達したときに、点火プラグ１１４で第１回目の点火を行なうように点火時期が設定されている。
【００２４】
先行噴霧１０５への点火が成功した場合、燃焼は先行噴霧から主噴霧へと広がり、良好な成層燃焼を行なうことができる。
【００２５】
一方、先行噴霧１０５への点火が失敗した場合には、主噴霧１０６が燃焼室１０４内に拡散し、点火プラグ１１４付近に混合気を形成する。このときに第２回目の点火を行なうように、点火時期をコンピュータ内で制御する。これにより、燃焼が行われない状態、いわゆる失火を防ぐことができる。
【００２６】
そして膨張行程により、ピストン１０３を押し下げる力が、クランクシャフト（図示しない）により回転軸トルクに変換され、次の排気行程では排気弁１１０が開き、燃焼ガスが排気管１０８に排出される。これで１サイクルが終了し、次の吸入行程が行われる。これを繰り返してエンジン１０２が運転される。
【００２７】
第２図に、本実施例における、エンジンの制御フローチャートを示す。
【００２８】
第２図に示すように、車載コンピュータ１１３は、最初にエンジン回転数や、アクセル開度、水温、吸入空気負圧などの情報を取り込み、目標トルクを演算する。これらの情報を基にして、燃料噴射量、具体的には、燃料噴射弁の開弁パルス幅を決定する。次に、１回目の点火を行なう点火時期を決定する。
【００２９】
次に、アイドル状態かどうかを判定する。アイドル状態であると判定された場合には、燃料噴射量が少ないため、先行噴霧１０５については絶対的な量が少なく着火が困難であるので、主噴霧１０６からの混合気への１回点火を行なうように設定し、それに応じた燃料噴射時期を定める。
【００３０】
アイドル状態でないと判定されると、次に、バッテリ電圧を参照する。バッテリ電圧ＶＢが基準値、例えば８Ｖ（これをＶｍｉｎとする）以下である場合には、多重点火を行なうのに十分なエネルギーがないので、１回点火に設定し、それに応じた燃料噴射時期を定める。バッテリ電圧がＶｍｉｎ以上の場合は、バッテリ電圧がＶｍｉｎより高い次の基準値、例えば９Ｖ（これをＶｎとする）以下であるかどうかを調べる。
【００３１】
バッテリ電圧ＶＢがＶｎ以上（ＶＢ＞Ｖｎ）である時には、燃料噴射から１回目の点火までの時間（これをＤＴ１とする）と１回目の点火から２回目の点火までの時間（これをＤＴ２とする）を、例えばＤＴ１＝１ｍｓ、ＤＴ２＝０．５ｍｓに設定する。
【００３２】
バッテリ電圧がＶｎ以下（Ｖｎ＞ＶＢ＞Ｖｍｉｎ）の時は、１回目の点火後に点火コイル１１５をチャージするのに時間がかかることから、１回目の点火から２回目の点火までの時間ＤＴ２を、ＶＢ＞Ｖｎの場合よりも長めに、例えば、ＤＴ２＝１ｍｓに設定する。ＤＴ１についてはＶＢ＞Ｖｎの場合と変わらない。
【００３３】
こうして定めたＤＴ１、ＤＴ２により、先に決定した１回目の点火時期の決定時を基準にして、燃料噴射時期と、１回目の点火時期と、２回目の点火時期とが決定される。
【００３４】
以上のようにして燃料噴射時期、１回目の点火時期、２回目の点火時期が定まると、順次燃料噴射、点火を行なう。これで燃焼１サイクルが終了し、次の燃焼に向けて同様に演算を行なう。なお、上記制御においては、成層燃焼モード（低負荷時）時に複数回の点火制御が行われ、燃料噴射量が多く、噴霧が燃焼室内で均質化される均質燃焼（高負荷時）には、１行程あたり１回の点火制御が行われる。
【００３５】
第３図および第４図に、本実施例に用いる燃料噴射弁１０１のノズル部の構成、及び燃料噴霧形状を示す。
【００３６】
第３図において、燃料噴射弁（以下、インジェクタと称する）１０１は、例えば噴射弁本体内の電磁コイル（図示せず）の通電，遮断により弁を開閉する電磁弁よりなる。
【００３７】
インジェクタのノズル部１５０は、ボール弁１５１と、これに接続されたロッド１５２、噴霧に旋回力を与えるスワラー（燃料旋回子）１５３、断面Ｌ字形の切り欠き１５７が設けられた噴射口１５４により概ね構成される。
【００３８】
ロッド１５２は、電磁コイルの通電時にリターンスプリング（図示せず）の力に抗して磁気吸引され、ボール弁１５１が弁座から離れて開弁する。スワラー１５３は、その外周に複数の燃料通路溝１５６が軸方向に形成され（この溝を軸方向溝と称することもある）、底面に溝１５６とつながる燃料通路溝１５５（この溝を径方向溝と称することもある）がスワラー内径に向けて偏心して形成されている。
【００３９】
ボール弁１５１が開くことにより、噴射弁本体内に通る燃料が軸方向溝１５５から径方向溝１５６に流れ、噴霧の周方向に旋回力が与えられる。
【００４０】
燃料噴射弁１０１は、噴射口１５４の切り欠き１５７が点火プラグ１１４側となるように設置される。
【００４１】
燃料噴霧は第４図に示す形状となっており、Ａ−Ａ横断面を見ると、噴射口１５４に設けられた切り欠き１５７により、点火プラグ１１４に向けた先行噴霧１０５の流量密度及び噴霧速度が主噴霧１０６より高くなり、先行噴霧１０５が主噴霧に先立ち噴出すると共に、主噴霧となる円錐形噴霧の一部に隙間の有る形状となっている。そのため、先行噴霧１０５の噴霧到達距離（ペネトレーション）は主噴霧１０６より長くなる。また、先行噴霧１０５によってプラグ方向に向かう流れ１１６（図示しない）が形成され、これに先行されて、主噴霧１０６も点火プラグ１１４に向かう作用がある。
【００４２】
第５図から第１０図を用いて、本実施例における噴霧および混合気の挙動と、点火動作について説明する。ここで、エンジン１０２は、始動直後のいわゆるファストアイドル運転を想定している。
【００４３】
第５図から第１０図は、圧縮行程の進行を示す断面側面図および断面上面図を示している。第５図および第６図に至る前（吸気行程）では、吸気弁１０９が開きピストン１０３が下降することにより、燃焼室１０４内に吸気ポート１０７から空気が流入される。吸気ポート１０７が斜めに取付けられていることから、燃焼室１０４内には弱いタンブル流（縦渦流）が形成される。本実施例ではタンブル生成機構を設けていないが、タンブル生成機構が有る場合と同様の効果を得ることができるため、本実施例はタンブル生成機構の有無を限定するものではない。
【００４４】
圧縮行程になると吸気弁１０９を閉じ、ピストン１０３が上昇することにより燃焼室１０４内の温度と圧力が上昇する。ピストン１０３が上死点に近づくにつれ燃焼室１０４内に生成されたタンブルは減衰し、上死点に達する頃にはタンブル流動が維持できず乱れた流れとなる。
【００４５】
点火リタードの場合、点火時期を上死点付近にするため、燃料噴射時期をクランク角で上死点前４０°付近に設定する。なお、最適な噴射時期はエンジンによって異なる。
【００４６】
第５図および第６図に、燃料噴射直後における燃焼室内の挙動を示す。第５図はエンジンを側面から、第６図ではエンジンを上面から見た図をそれぞれ示している。
【００４７】
この時点はエンジン１０２は圧縮行程であるので、吸気弁１０９および排気弁１１０は閉じており、ピストン１０３が上昇することにより吸入空気が圧縮される。そして、燃料噴射弁１０１から燃料が噴射されるが、この燃料は、流速が速く、かつ点火プラグ１１４を指向する先行噴霧１０５と、流速の遅い主噴霧１０６の二つの分布を持っている。先行噴霧１０５は、主噴霧１０６に比べると流速が速く、噴霧密度が高いため、主噴霧１０６よりも先行し、点火プラグ１１４近傍に到達する。主噴霧１０６は、先行噴霧１０５に遅れてピストン１０３に向かう。このとき、先行噴霧１０５と、燃焼室１０４内の吸入空気との間で摩擦が生じ、燃料噴射弁１０１から点火プラグ１１４へ向かう噴流１１６が生成される。主噴霧１０６は、噴霧が比較的分散し噴霧密度が低いため、強い噴流を生成するまでは至らない。
【００４８】
噴流１１６は噴霧自身によって生成されるため、エンジン回転数などの運転条件に影響されにくく、噴霧自身の挙動の安定性が高いという特徴がある。
【００４９】
第７図および第８図に、ピストンが上死点前２０°付近にある場合の燃焼室内の挙動を示す。第７図は側面から、第８図は上面からエンジンを見た図である。時間の経過によりピストン１０３が上昇し、主噴霧１０６はピストン１０３の上面付近に停滞する。この時、上述した噴流１１６が、主噴霧１０６から気化した着火用混合気１２６を点火プラグ１１４方向へ導く。
【００５０】
先行噴霧１０５は、点火プラグ１１４を通過しつつ気化し、点火プラグ１１４周りに混合気１２５を形成する。このとき、点火プラグ１１４により、予め定めた第１回目の点火時期に点火が行なわれる。点火時期は、噴霧流速をあらかじめ推定し、これと燃料噴射弁から点火プラグまでの距離とに基づき点火プラグへの燃料噴霧の到達に要する時間を推定し、燃料噴射後から上記到達時間を加えることにより算出される。
【００５１】
先行噴霧１０５への点火が成功した場合、燃焼は先行噴霧から主噴霧へと広がり、良好な成層燃焼を行なうことができる。
【００５２】
第９図および第１０図に、第７図および第８図で、先行噴霧からの混合気への着火に失敗した場合の、ピストンが上死点付近にある場合の混合気の挙動を示す。第９図は側面から、第１０図は上面からエンジンを見た図である。
【００５３】
ピストン１０３が圧縮上死点に近づくと燃焼室１０４の内圧が急激に上昇し、このため噴流１１６は主噴霧１０６からの混合気１２６が点火プラグ１１４へ到達する頃には消滅する。そのため、混合気１２６の移動速度は点火プラグ１１４付近で遅くなり、点火プラグ１１４を大きく通過することなく、その近傍で成層化することができる。
【００５４】
また、噴流１１６を生成した先行噴霧１０５は、ピストン１０３の上昇に伴って殆ど気化し、混合気１２５となって点火プラグ１１４を過ぎたところで成層化する。
【００５５】
このときに第２回目の点火を混合気１２６に対して行なうように、点火時期を第１図
のコンピュータ１１３内で制御する。これにより、点火に失敗して燃焼が行われない状態、いわゆる失火を防ぐことができる。さらにこのとき、混合気１２６は点火プラグ１１４近傍で比較的安定して留まっているので、ここで第３回目、またはそれ以上の点火を行なって、点火をさらに確実にすることもできる。
【００５６】
このようにして、本実施例によって、先行噴霧からの混合気１２５と、主噴霧からの混合気１２６を点火プラグ１１４のまわりに順次成層化でき、これらに順次点火することにより、点火時において安定に成層燃焼することが出来る。
【００５７】
第１１図から第１６図に、本発明の第２の実施例における噴霧および混合気の挙動と、点火動作について示す。基本的な構成は第１の実施例と同じであり、燃料噴射弁の基本構造も第３図または第４図で示したものと同様であるが、燃焼室の頂上付近に位置する点火プラグ１１４に加えて、燃料噴射弁１０１の直上に補助点火プラグ２０１が設けられている。
【００５８】
第１１図および第１２図に、燃料噴射直後の燃焼室内の挙動を示す。第１１図はエンジンを側面から、第１２図ではエンジンを上面から見た図をそれぞれ示している。
【００５９】
エンジン１０２は圧縮行程にあり、吸気弁１０９および排気弁１１０は閉じており、ピストン１０３が上昇することにより吸入空気が圧縮される。そして、燃料噴射弁１０１から燃料が噴射されるが、この燃料は、流速が速く、かつ点火プラグ１１４を指向する先行噴霧１０５と、流速の遅い主噴霧１０６の二つの分布を持っている。
【００６０】
ここで、燃料噴射弁１０１は、補助点火プラグ２０１を設けた関係上、燃料噴射弁と点火プラグとの位置関係が第１実施例と較べて異なるために（燃料噴射弁１０１は第１実施例のものより下に位置している）、第１実施例と比較すると広角に噴霧が噴射されるものを用いる。
【００６１】
先行噴霧１０５は、主噴霧１０６に比べると流速が速く、噴霧密度が高いため、主噴霧１０６よりも先行して点火プラグ１１４近傍に到達する。主噴霧１０６は、先行噴霧１０５に遅れてピストン１０３に向かう。このとき、先行噴霧１０５と、燃焼室１０４内の吸入空気との間で摩擦が生じ、燃料噴射弁１０１から点火プラグ１１４へ向かう噴流１１６が生成される。主噴霧１０６は、噴霧が比較的分散し噴霧密度が低いため、強い噴流を生成するまでは至らない。
【００６２】
噴流１１６は噴霧自身によって生成されるため、既述したようにエンジン回転数などの運転条件に影響されにくく、噴霧自身の挙動の安定性が高いという特徴がある。
【００６３】
第１３図および第１４図に、ピストンが上死点前２０°付近にある場合の燃焼室内の挙動を示す。第１３図は側面から、第１４図は上面からエンジンを見た図である。時間の経過によりピストン１０３が上昇し、主噴霧１０６はピストン１０３の上面付近に停滞する。この時、上述した噴霧１１６が、主噴霧１０６から気化した混合気１２６を、補助点火プラグ２０１、および点火プラグ１１４方向へ導く。このようにして、点火プラグ１１４または補助点火プラグ２０１の近傍に、着火に適した成層混合気が形成され、この時点で点火を行なうこともできるが、第１実施例で記載したように、点火時期をなるべく遅らせたいので、次のステップに進む。
【００６４】
第１５図および第１６図に、ピストンが上死点付近にある場合の混合気の挙動を示す。第１５図は側面から、第１６図は上面からエンジンを見た図である。
【００６５】
ピストン１０３が圧縮上死点に近づくと燃焼室１０４の内圧が急激に上昇し、このため噴流１１６は、主噴霧１０６からの混合気１２６が点火プラグ１１４へ到達する頃には消滅する。そのため、混合気１２６の移動速度は点火プラグ１１４付近で遅くなり、点火プラグ１１４を大きく通過することなく、その近傍で成層化することができる。
【００６６】
また、噴流１１６を生成した先行噴霧１０５は、ピストン１０３の上昇に伴って殆ど気化するため、混合気１２５は点火プラグ１１４を過ぎたところで成層化する。
【００６７】
このとき、第１図に記載のコンピュータ１１３により、点火プラグ１１４および補助点火プラグ２０１の両方に、同時または時間差を設けて点火を行なう。
【００６８】
２点で略同時に点火を行なうので、点火に失敗して燃焼が行われない状態、いわゆる失火の確率を非常に小さく抑えることができる。さらにこのとき、混合気１２６は点火プラグ１１４近傍で比較的安定して留まっているので、ここで、第１実施例にあるような第２回目、またはそれ以上の点火を行なって、混合気１２５、１２６への着火をさらに確実にすることもできる。
【００６９】
さらに、アイドル時は、燃料噴射量が少ないことから、先行噴霧１０５により点火プラグ１１４付近に混合気１２５を形成することが難しいため、点火プラグ１１４への点火を取りやめて、補助点火プラグ２０１でのみ点火するようにしてもよい。このようにすれば、着火性を確保しながら、点火エネルギーを抑え、エンジン１０２の総合効率を上げることができる。
【００７０】
また、複数の点火プラグへの点火は成層燃焼モード時に行い、均質燃焼モード時には、いずれか一方の点火プラグだけを使用するように制御する。
【００７１】
第１７図および第１８図に、本発明に用いられる、燃料噴射弁１０１の他の形態とそれによる燃料噴霧形状を示す。
【００７２】
本例における燃料噴射弁１０１のノズル１５０は、燃料を噴射する燃料噴射口１５４Ａと空気を噴射する空気噴射口１５４Ｂを有する構造となっており、空気噴射口１５４Ｂは、燃料噴射弁１０１をエンジンに取付けたとき、点火プラグ１１４を指向するように設けられる。
【００７３】
燃料噴射口１５４Ａ側の内部構造は第２図に示したものとほぼ同じであるが、噴射口に切り欠きはなく、周方向に均一なコーン噴霧が噴射される。空気噴射口１５４Ｂには空気の噴射を制御するためにボール弁１５１Ｂと、これに接続されたロッド１５２Ｂが設けられている。高圧ポンプから供給される加圧された空気は、空気配管（図示しない）を通り、空気噴射口１５４Ｂの上流に充填される。ボール弁１５１Ｂを上に動かすことにより、空気噴射口１５４Ｂから高圧の空気流が噴射される。この空気流は、既述した第１，第２実施例の噴流１１６に対応する。したがって、この噴流１１６に主噴霧１０６の一部が先行噴霧１０５として引きこまれ、点火プラグ１０５側に案内される。本実施例ではボール弁１５１Ａ，１５１Ｂは同時に動く様に制御するが、必ずしもこの動作に限定するものではなく、若干ボール弁１５１Ｂが早く動作してもかまわない。
【００７４】
第１９図および第２０図に、本発明に用いられる、燃料噴射弁１０１の別の態様と燃料噴霧形状を示す。
【００７５】
本例における燃料噴射弁１０１のノズル１５０は、先行噴霧１０５を生成する燃料噴射口１５４Ｃと、主噴霧１０６を生成する燃料噴射口１５４Ｄを有する構造となっている。燃料噴射口１５４Ｃは、径が燃料噴射口１５４Ｄより大きく、燃料噴射弁１０１をエンジンに取付けたときに先行噴霧１０５が点火プラグ１１４を指向するように設けられる。また、燃料噴射口１５４Ｄは径が小さく、運転に必要な燃料量を噴射するために噴口を複数設けると共に、配置する位置を分散させて主噴霧１０６の噴霧密度が小さくなるようにしている。
【００７６】
以上に述べた先行噴霧および主噴霧に複数の点火を実行した効果を実験により次のように確認した。
【００７７】
第２１図に、燃焼安定領域の比較結果を示す。ここでは、吸気ポートにタンブル生成機構を設け、タンブルにより混合気を点火プラグへ成層化させる方式を空気ガイド方式と称し、本発明のように、先行噴霧により生じる噴流で混合気を点火プラグへ成層化させる手段をスプレイリード方式と称する。
【００７８】
第２１図に示すグラフの横軸は燃料噴射時期を、縦軸は点火時期を表す。斜線で囲まれた領域が、図面左から順に、空気ガイド方式、スプレイリード方式の安定燃焼領域を示している。エンジン回転数は１２００ｒｐｍの低負荷運転条件である。
【００７９】
空気ガイド方式では、燃料噴射時期が上死点前６０°以降では安定燃焼ができないため上死点前２０°以降は、安定燃焼領域が生じていない。しかし、スプレイリード方式では、燃料噴射時期を上死点前３０°までリタード可能で、点火時期が上死点近くでも安定に燃焼できることを確認した。またスプレイ先行方式では、点火時期を遅らせることにより、燃費とＮＯｘ排出量を低減することができる。
【００８０】
第２２図に、本発明の第１実施例で用いた２回点火を行なった場合と、１回点火の従来方式の比較結果を示す。
【００８１】
従来方式では、燃料噴射時期、および点火時期を遅くすると、混合気分布のばらつきなどの影響で、数十回に１回の割合で失火が起こっていた。本発明により、同一条件での失火回数を０とすることが出来た。
【００８２】
なお、第２の実施例では、点火プラグの数を２つとしたが、本発明の範囲は必ずしもこれに限定されるものではなく、燃焼噴射弁からの噴霧が気化する位置に配置すれば、その数はもっと多くてもよい。また、点火プラグの場所も、吸排気弁１０９，１１０などと干渉しなければ、別の位置でも良い。噴霧形状についても同様であり、先行噴霧により主噴霧に流れを与える構成であればよい。
【図面の簡単な説明】
【００８３】
【図１】第１図は、本発明の第１実施例における構成図。
【図２】第２図は、第１実施例における、エンジンの制御フローチャート。
【図３】第３図は、第１実施例における燃料噴射弁１０１の構成図。
【図４】第４図は、第１実施例における燃料噴射弁１０１の噴霧形状を示す説明図。
【図５】第５図は、第１実施例の燃料噴射直後における燃焼室内の挙動を示す側面図。
【図６】第６図は、第１実施例の燃料噴射直後における燃焼室内の挙動を示す上面図。
【図７】、第７図は、第１実施例の上死点前２０°付近における燃焼室内の挙動を示す側面図。
【図８】第８図は、第１実施例の上死点前２０°付近における燃焼室内の挙動を示す上面図。
【図９】第９図は、第７図で混合気への着火に失敗した場合の、上死点付近の挙動を示す側面図。
【図１０】第１０図は、混合気への着火に失敗した場合の、上死点付近の挙動を示す上面図。
【図１１】第１１図は、第２実施例の燃料噴射直後における燃焼室内の挙動を示す側面図。
【図１２】第１２図は、第２実施例の燃料噴射直後における燃焼室内の挙動を示す上面図。
【図１３】第１３図は、第２実施例の上死点前２０°付近における燃焼室内の挙動を示す側面図。
【図１４】第１４図は、第２実施例の上死点前２０°付近における燃焼室内の挙動を示す上面図。
【図１５】第１５図は、第２実施例の上死点付近における燃焼室内の挙動を示す側面図。
【図１６】第１６図は、第２実施例の上死点付近における燃焼室内の挙動を示す上面図。
【図１７】第１７図は、燃料噴射弁１０１の別の態様を示す構成図。
【図１８】第１８図は、第１７図の燃料噴射弁１０１による噴霧形状を示す図。
【図１９】第１９図は、燃料噴射弁１０１の別の態様を示す構成図。
【図２０】第２０図は、第１９図の燃料噴射弁１０１による噴霧形状を示す図。
【図２１】第２１図は、本発明と従来例との実験による燃焼安定領域の比較結果を示すグラフ。
【図２２】第２２図は、実験による、従来方式と本発明との燃焼安定度の比較結果を示すグラフである。
【符号の説明】
【００８４】
１０１…燃料噴射弁、１１３…コンピュータ（燃料噴射制御装置，点火制御装置）、１１４…点火プラグ、１１５…点火コイル。
【図１】
2008202605.tif 000003
【図２】
2008202605.tif 000004
【図３】
2008202605.tif 000005
【図４】
2008202605.tif 000006
【図５】
2008202605.tif 000007
【図６】
2008202605.tif 000008
【図７】
2008202605.tif 000009
【図８】
2008202605.tif 000010
【図９】
2008202605.tif 000011
【図１０】
2008202605.tif 000012
【図１１】
2008202605.tif 000013
【図１２】
2008202605.tif 000014
【図１３】
2008202605.tif 000015
【図１４】
2008202605.tif 000016
【図１５】
2008202605.tif 000017
【図１６】
2008202605.tif 000018
【図１７】
2008202605.tif 000019
【図１８】
2008202605.tif 000020
【図１９】
2008202605.tif 000021
【図２０】
2008202605.tif 000022
【図２１】
2008202605.tif 000023
【図２２】
2008202605.tif 000024